(57)【特許請求の範囲】
【請求項１】
熱交換器が内装されたキャビネットに、吸込口が形成され、吸込口に面してフィルタが着脱可能に設けられ、キャビネットに、表側を前面に向けて挿入されて装着されたフィルタの端部を保持する係止部が設けられ、フィルタの表側あるいは裏側のいずれか一方の端部に、高低部が設けられ、他方の端部が滑らかに形成され、高低部の低部は、フィルタを挿入するとき、先に低部が係止部に近づくように、高部よりもフィルタの端部に近い側に位置し、フィルタの表裏が正しい向きでフィルタが挿入されたときには、高低部の高部が係止部に当接して、フィルタが保持され、フィルタの表裏が逆向きでフィルタが挿入されたときには、高低部の低部が係止部に当接して、フィルタの挿入が阻止されることを特徴とする空気調和機。
【請求項２】
熱交換器が内装されたキャビネットに、吸込口が形成され、吸込口に面してフィルタが着脱可能に設けられ、キャビネットに、表側を前面に向けて挿入されて装着されたフィルタの端部を保持する係止部が設けられ、フィルタの表側あるいは裏側のいずれか一方の端部に、高低部が設けられ、他方の端部が滑らかに形成され、キャビネットに、挿入されるフィルタを案内するフィルタガイドが係止部に対向して設けられ、フィルタの表裏が正しい向きでフィルタが挿入されたときには、フィルタの低部が係止部とフィルタガイドとの隙間に入り込み、高低部の高部が係止部に当接して、フィルタが保持され、フィルタの表裏が逆向きでフィルタが挿入されたときには、高低部の低部が係止部に当接して、フィルタの挿入が阻止されることを特徴とする空気調和機。
【請求項３】
高部の高さが隙間よりも大とされることを特徴とする請求項２記載の空気調和機。
【請求項４】
高低部は、低部から高さを増しながら高部に達するように形成されたことを特徴とする請求項１〜３のいずれかに記載の空気調和機。
【請求項５】
フィルタの表側あるいは裏側のいずれか一方の端部に、平坦な低部が形成され、低部に壁状の高部が形成されたことを特徴とする請求項１〜４のいずれかに記載の空気調和機。
【請求項６】
キャビネットの吸込口の開口壁に係止部が形成され、装着されたフィルタの端部が開口壁の後側に位置することを特徴とする請求項１〜５のいずれかに記載の空気調和機。
【発明の詳細な説明】
【技術分野】
【０００１】
本発明は、キャビネットの吸込口にフィルタが配された空気調和機に関する。
【背景技術】
【０００２】
空気調和機の室内機では、ファンおよび熱交換器がキャビネットに内装される。キャビネットの天面から前面にかけて吸込口が形成され、前面の吸込口を隠すように前カバーが開閉かつ着脱可能に設けられる。吸込口に面してフィルタがキャビネットに着脱可能に設けられ、フィルタは、前カバーの後側において前カバーに沿って配置される。
【０００３】
前カバーが開けられると、フィルタを着脱することができる。フィルタを簡単に装着できるように、特許文献１では、フィルタの下部の複数箇所にリブが形成され、吸込口を形成する前面枠の下部に、上面開口の断面コ字状の保持部が形成されている。フィルタの下部が保持部に挿入されることにより、フィルタの下端が保持される。
【先行技術文献】
【特許文献】
【０００４】
【特許文献１】特開２００５−１３２８９５号公報
【発明の概要】
【発明が解決しようとする課題】
【０００５】
フィルタの下端を保持部に挿入しやすいので、フィルタの着脱を簡単に行える。しかし、単にフィルタの下端を挿入するだけであるので、フィルタの表裏を逆向きにしても、フィルタの下端を保持部に挿入することができる。フィルタの表裏を間違って挿入すると、フィルタがキャビネットに確実に固定されず、吸い込んだ空気によってフィルタが振動したりして、騒音が発生したり、除塵機能を十分に発揮できなくなるおそれがある。
【０００６】
本発明は、上記に鑑み、フィルタの表裏を逆向きにしてフィルタを挿入しようとしても、フィルタを装着できないようにして、フィルタの誤挿入を防ぐことができる空気調和機の提供を目的とする。
【課題を解決するための手段】
【０００７】
本発明は、熱交換器が内装されたキャビネットに、吸込口が形成され、吸込口に面してフィルタが着脱可能に設けられ、キャビネットに、表側を前面に向けて挿入されて装着されたフィルタの端部を保持する係止部が設けられ、フィルタの表側あるいは裏側のいずれか一方の端部に、高低部が設けられ、他方の端部が滑らかに形成されたものである。
【０００８】
そして、フィルタの表裏が正しい向きでフィルタが挿入されたときには、高低部の高部側が係止部に当接して、フィルタが保持され、フィルタの表裏が逆向きでフィルタが挿入されたときには、高低部の低部側が係止部に当接して、フィルタの挿入が阻止される。
【０００９】
キャビネットに、挿入されるフィルタを案内するフィルタガイドが係止部に対向して設けられるようにしてもよい。フィルタガイドは、高低部が設けられていない表側あるいは裏側に接触してフィルタを案内する。フィルタの表裏が正しい向きでフィルタが挿入されたときには、フィルタの低部が係止部とフィルタガイドとの隙間に入り込む。フィルタの表裏が逆向きでフィルタが挿入されたときには、フィルタの高部が、フィルタガイドに接触して案内され、低部は、係止部に当接して、係止部とフィルタガイドとの隙間に挿入されない。
【００１０】
高部の高さが隙間よりも大とされるようにしてもよい。フィルタの高部は隙間に入らず、係止部によりフィルタは装着位置に保持される。
【００１１】
高低部は、低部から高さを増しながら高部に達するように形成されるようにしてもよい。あるいは、フィルタの表側あるいは裏側のいずれか一方の端部に、平坦な低部が形成され、低部に壁状の高部が形成されるようにしてもよい。
【００１２】
キャビネットの吸込口の開口壁に係止部が形成され、装着されたフィルタの端部が開口壁の後側に位置するようにしてもよい。装着されたフィルタの端部が開口壁によって隠される。
【発明の効果】
【００１３】
本発明によると、フィルタの表裏を逆にして、フィルタを装着しようとしても、フィルタの挿入が阻止されるので、フィルタの誤装着を防止できる。
【図面の簡単な説明】
【００１４】
【図１】本発明の空気調和機の室内機の斜視図
【図２】室内機の断面図
【図３】前カバーを外した室内機の斜視図
【図４】フィルタの斜視図
【図５】フィルタの高低部を示す図
【図６】キャビネットの係止部を示す図
【図７】フィルタが装着されたときのフィルタの下端部の側面断面図
【図８】フィルタが装着されたときのフィルタの下端部の正面断面図
【図９】表裏が正しい向きで挿入されるときのフィルタを示す図
【図１０】表裏が正しい向きで挿入されたフィルタを示す図
【図１１】表裏を逆向きにして挿入されるときのフィルタを示す図
【図１２】表裏を逆向きにした挿入が阻止されたフィルタを示す図
【図１３】表裏を逆向きにした挿入が阻止されたときのフィルタの下端部の側面断面図
【図１４】表裏を逆向きにした挿入が阻止されたときのフィルタの下端部の正面断面図
【発明を実施するための形態】
【００１５】
本実施形態の空気調和機の室内機を図１〜３に示す。室内機は、熱交換器１およびファン２を備え、これらがキャビネット３に内装されている。左右方向に長く形成されたキャビネット３の上面から前面にかけて、吸込口４が形成される。キャビネット３の前面下部から底面にかけての湾曲面に吹出口５が形成される。なお、キャビネット３を正面から見て、幅方向を左右方向、奥行き方向を前後方向、高さ方向を上下方向とする。
【００１６】
キャビネット３の内部には、吸込口４から吹出口５に至る送風路６が形成され、送風路６に、熱交換器１とファン２とが配される。熱交換器１は、ファン２の前方および上方を取り囲む。キャビネット３内に、吸込口４に面してフィルタ７が着脱可能に設けられる。左右一対のフィルタ７は、熱交換器１の上方および前方に配置される。
【００１７】
キャビネット３は、背面板１０および前面パネル１１によって構成される。背面板１０に、熱交換器１およびファン２が装着される。前面パネル１１は、背面板１０に着脱可能に取り付けられる。前面パネル１１の上面から前面にかけて開口しており、この開口が吸込口４とされる。
【００１８】
前面パネル１１の前面の開口を覆う前カバー１２が前面パネル１１に開閉可能かつ着脱可能に取り付けられる。前面パネル１１の裏面に、フィルタガイド１３が設けられる。フィルタガイド１３および前カバー１２により、フィルタ７は湾曲した状態で保持される。前カバー１２が開いたとき、フィルタ７が露出し、フィルタ７を着脱することができる。
【００１９】
熱交換器１の下方には、ドレンパンユニット１４が設けられる。ドレンパンユニット１４は背面板１０に取り付けられる。吹出口５はドレンパンユニット１４に形成され、ドレンパンユニット１４に、吹出口５を開閉する導風パネル１５が開閉可能に設けられるとともに、風向板１６も設けられる。
【００２０】
フィルタ７は、図４に示すように、矩形状の枠部材２０と、枠部材２０の内側に格子状に形成された桟部材２１と、各格子に張られた網部材２２とから構成される。合成樹脂製のフィルタ７は、可撓性を有し、フィルタ７がキャビネット３に装着されたとき、フィルタ７は湾曲した状態に維持される。
【００２１】
フィルタ７には、表裏があり、フィルタ７の表側には、「オモテ」といったような表示がされ、裏側には、「ウラ」といったような表示がされる。そして、フィルタ７の表側には、取手２３が突出するように形成される。
【００２２】
図５に示すように、フィルタ７の表側の下端部には、左右方向に２列の補強リブ２４が突設され、下端部の左右の両側には、位置決め用の受リブ２５がそれぞれ突設される。補強リブ２４と受リブ２５とは連なるように一体的に形成されている。フィルタ７の裏側は、全面にわたって滑らかに形成され、突出するものはない。
【００２３】
フィルタガイド１３は、上面から前面にかけて左右一対に形成され、フィルタ７の左右両側の端部を支持する。フィルタガイド７の上部は、フィルタ７の左右の端部をスライド可能に案内する。フィルタガイド７の下部は、フィルタ７の左右の端部を裏側から支持する。左右のフィルタガイド７の間に、左右方向に横ガイド２６が形成される。横ガイド２６は、フィルタ７の裏側を支持する。
【００２４】
前カバー１２の裏面に、取手２３に対向するように押えリブ２７が形成される。前カバー１２が閉じたとき、押えリブ２７が取手２３に当接して、前カバー１２によりフィルタ７はフィルタガイド１３に押さえつけられる。これにより、フィルタ７の浮き上がりが防止される。
【００２５】
フィルタ７の下端部は、前面パネル１１の下側の開口壁３０よりも後側に位置する。したがって、フィルタ７の下端部は、前面パネル１１に隠される。図６〜８に示すように、前面パネル１１の下側の開口壁３０に、フィルタ７を位置決めするための係止部３１が設けられる。
【００２６】
係止部３１は、下側の開口壁３０の後面に形成され、後側に向って突出する。平板状の係止部３１は、開口壁３０の上縁と同一レベルとされる。係止部３１は、フィルタ７の左右の両端部に対応するように左右一対に形成される。また、係止部３１は、フィルタガイド１３の下端に対向して配置され、係止部３１とフィルタガイド１３との間に隙間３２が形成される。係止部３１の左右方向の幅は、フィルタガイド１３の左右方向の幅より小とされる。
【００２７】
係止部３１は、キャビネット３に装着されたフィルタ７の受リブ２５を係止する。受リブ２５は、フィルタ７の隅を囲む壁状に形成される。受リブ２５は、下リブ４０、横リブ４１、上リブ４２から一体的に構成される。下リブ４０は、フィルタ７の下端部の端縁から立ち上がり、上方向に向かって形成される。下リブ４０は、補強リブ２４と同じ高さから徐々に高くなっている。横リブ４１は、下リブ４０から水平方向に左右の端部まで延びる。上リブ４２は、横リブ４１から上方向に向かってフィルタ７の左右の端部に沿って形成される。横リブ４１と上リブ４２は同じ高さとされ、下リブ４０よりも高い。そして、補強リブ２４と下リブ４０との連結部分、下リブ４０と横リブ４１との連結部分および横リブ４１と上リブ４２との連結部分は、いずれも湾曲している。
【００２８】
フィルタ７がキャビネット３に装着されたとき、横リブ４１が係止部３１の上面に当接する。フィルタ７が装着位置から下がることが防止される。また、フィルタ７の左右の下リブ４０の間隔は、左右の係止部３１の間隔よりも少しだけ小とされる。そのため、フィルタ７の装着時、左右の下リブ４０のいずれか一方が係止部３１に当接することにより、フィルタ７が左右方向にずれることを防げる。
【００２９】
横リブ４１の高さおよび上リブ４２の高さは、係止部３１とフィルタガイド１３との間の隙間３２よりも大とされる。なお、横リブ４１の高さおよび上リブ４２の高さは、フィルタ７の裏面から各リブ４１、４２の上面までの長さである。
【００３０】
ここで、フィルタ７の着脱は、前カバー１２が開いているときに行われる。フィルタ７の表側が前側を向くようにして、フィルタ７はキャビネット３の吸込口４からキャビネット３内に挿入されて装着される。フィルタ７の上端部は、前面パネル１１の開口から後側に向ってフィルタガイド１３の上部に挿入される。フィルタ７の下端部は、前面パネル１１の開口から開口壁３０の後側に挿入される。フィルタ７が装着されたとき、フィルタ７の下端部は、前面パネル１１の後側に位置する。前カバー１２が閉じられると、押えリブ２７がフィルタ７の取手２３に当接して、フィルタ７をフィルタガイド１３に押えつけ、フィルタ７がキャビネット３にずれないように装着される。
【００３１】
フィルタ７の下端部を簡単に前面パネル１１の開口から挿入することができる。そのため、フィルタ７の表裏が逆向きでフィルタ７の下端部が挿入されるおそれがある。そこで、フィルタ７の表裏が逆向きでフィルタ７が挿入されたときには、フィルタ７の挿入を阻止できるように、フィルタ７の表側の下端部に、高低部４３が設けられている。
【００３２】
フィルタ７の表裏が正しい向きでフィルタ７が挿入されたときには、高低部４３の高部側が係止部３１に当接して、フィルタ７が保持される。フィルタ７の表裏が逆向きでフィルタ７が挿入されたときには、高低部４３の低部側が係止部３１に当接して、フィルタ７の挿入が阻止される。
【００３３】
高低部４３は、枠部材２０の下端部に設けられ、受リブ２５と受リブ２５によって囲まれた隅からなる。高部が受リブ２５の横リブ４１から上リブ４２にかけての部分とされ、高部の高さは、係止部３１とフィルタガイド１３との間の隙間３２よりも大とされる。低部４４が受リブ２５によって囲まれた隅近辺の平坦な部分とされ、低部４４の高さは、フィルタ７の枠部材２０の厚さとなり、係止部３１とフィルタガイド１３との間の隙間３２よりも小とされる。
【００３４】
図９，１０に示すように、フィルタ７の表裏を正しい向きにして、フィルタ７が挿入されると、フィルタ７の裏側がフィルタガイド１３に沿って下がり、フィルタ７の下端部が前面パネル１１の開口壁３０の後側に入り込む。下リブ４０の下端が湾曲しているので、下リブ４０が係止部３１に案内され、下リブ４０が引っ掛かることなく、フィルタ７をスムーズに挿入することができる。フィルタ７の下端部の低部４４が隙間３２を通って、開口壁３０の後側に入り込む。横リブ４１が係止部３１の上面に当接すると、これ以上フィルタ７を挿入できなくなり、フィルタ７が装着位置で保持される。
【００３５】
図１０〜１４に示すように、フィルタ７の表裏が逆向きのままフィルタ７が挿入されると、フィルタ７の横リブ４１および上リブ４２がフィルタガイド１３に接触しながら、フィルタ７が下がる。なお、フィルタ７を斜めして、フィルタ７が挿入されたとき、先に下リブ４０がフィルタガイド１３に接触するが、フィルタ７が下がると、横リブ４１がフィルタガイド１３に接触する。
【００３６】
高部の高さ、すなわち横リブ４１の高さおよび上リブ４２の高さが隙間より大であるので、低部４４、すなわちフィルタ７の隅の下端が係止部３１に当接して、フィルタ７は隙間３２に入らない。したがって、フィルタ７の挿入が阻止され、フィルタ７の裏側を前側に向けた状態ではフィルタ７を挿入することはできない。このように、フィルタ７の誤挿入を簡単に防止できる。特に、取手２３がないフィルタ７を使用する場合、フィルタ７の表裏の区別がつきにくいので、高低部４３を設けることは非常に有用である。
【００３７】
なお、本発明は、上記実施形態に限定されるものではなく、本発明の範囲内で上記実施形態に多くの修正および変更を加え得ることは勿論である。受リブはフィルタの裏側に設けてもよい。フィルタの表側の下端部は滑らかに形成される。この場合、係止部は、前側に向かって突出するようにフィルタガイドに形成される。この係止部に隙間をあけて対向する開口壁は、フィルタの枠部材の表側に接触して案内するように平坦なガイド壁とされる。また、フィルタを上下方向ではなく、左右方向に挿入して装着する構造であってもよい。この場合、高低部は、フィルタの左右の端部に設けられる。また、高低部をフィルタの上端部に設けてもよい。この場合、係止部は、キャビネットの上部に設けられ、フィルタの上端部をキャビネットに挿入することにより、フィルタは装着される。さらに、フィルタが上下対称あるいは左右対称の場合、高低部をフィルタの下端部および上端部、あるいは左右の両端部にそれぞれ設けてもよい
【００３８】
高低部を受リブだけで構成してもよい。受リブは縦長の階段状に形成され、下側が低部、上側が高部とされる。また、高部として、壁状のリブではなく、半球状や円柱状の突起であってもよい。また、高低部をフィルタの左右方向の中間部分に設けてもよい。桟部材の縦桟に、高低部としての受リブを形成する。この受リブは、上記の階段状に形成される。
【００３９】
受リブを横リブと上リブだけで構成してもよい。このように、高低部としては、下リブをなくしてもよい。しかし、下リブがない場合、フィルタの下端部にかけて、特に横リブから下端にかけて、フィルタの剛性が弱まり、フィルタがしなりやすくなる。そのため、誤って裏向きにフィルタを装着した場合、フィルタの下端部がしなるので、フィルタが無理やり押し込められると、係止部とフィルタガイドとの隙間にフィルタの下端部の隅が入ってしまうおそれがある。したがって、下リブを設けるのが好ましい。また、下リブをフィルタの下端まで延伸させてもよい。これによって、補強リブを廃止しても、フィルタの下端部の剛性を保つことができる。
【符号の説明】
【００４０】
１    熱交換器
２    ファン
３    キャビネット
４    吸込口
７    フィルタ
１１    前面パネル
１２    前カバー
１３    フィルタガイド
２３    取手
２５    受リブ
２６    横ガイド
２７    押しリブ
３０    開口壁
３１    係止部
３２    隙間
４０    下リブ
４１    横リブ
４２    上リブ
４３    高低部
４４    低部
【図１】
0005981200.tif 000002
【図２】
0005981200.tif 000003
【図３】
0005981200.tif 000004
【図４】
0005981200.tif 000005
【図５】
0005981200.tif 000006
【図６】
0005981200.tif 000007
【図７】
0005981200.tif 000008
【図８】
0005981200.tif 000009
【図９】
0005981200.tif 000010
【図１０】
0005981200.tif 000011
【図１１】
0005981200.tif 000012
【図１２】
0005981200.tif 000013
【図１３】
0005981200.tif 000014
【図１４】
0005981200.tif 000015